(57)【特許請求の範囲】
【請求項１】
一対のビード部間にトロイダル状に跨るカーカスを骨格として、該カーカスのクラウン部の径方向外側に、タイヤの赤道面に沿って延びるコードの多数本をゴムで被覆した、２層の周方向ベルト層と、タイヤの赤道面に対して傾斜した向きに延びるコードの多数本をゴムで被覆した、少なくとも２層の傾斜ベルト層とを順に配置して成るベルトを有し、該ベルトの径方向外側にトレッドを配置したタイヤであって、
前記周方向ベルト層の幅がタイヤの総幅の６０％以上であり、
少なくとも１層の傾斜ベルト層の幅が周方向ベルト層の幅よりも広く、
各周方向ベルト層を、幅方向中央域と該幅方向中央域の幅方向外側に位置する幅方向端部域とに区画した際、前記幅方向端部域に配置されたコードの弾性率が前記幅方向中央域に配置されたコードの弾性率よりも低く、
前記幅方向端部域の幅方向最内側に配置されたコードと、前記幅方向中央域の幅方向最外側に配置されたコードとの最小間隔が５ｍｍ以下であり、
タイヤ赤道を境とするタイヤ半部において、一方の周方向ベルト層における幅方向端部域の幅方向最内側に配置されたコードの端部が、他方の周方向ベルト層における幅方向中央域の幅方向最外側に配置されたコードの端部より、幅方向内側に位置する、
ことを特徴とする空気入りタイヤ。
【請求項２】
前記傾斜ベルト層の幅がタイヤの総幅の６５％以上であることを特徴とする請求項１に記載の空気入りタイヤ。
【請求項３】
前記周方向ベルト層は、１本または複数本のコードをゴムで被覆したストリップ材を、前記カーカスのクラウン部に螺旋状に巻回して成ることを特徴とする請求項１または２に記載の空気入りタイヤ。
【請求項４】
前記幅方向端部域に配置されたコードは、初期伸びを有する伸張性の金属コードであり、
前記幅方向中央域に配置されたコードは、非伸張の金属コードを直線状、波形状もしくはジグザグ状に型付けしたものである、
ことを特徴とする請求項１〜３のいずれかに記載の空気入りタイヤ。
【請求項５】
前記幅方向端部域に配置されたコードが有機繊維コードであり、
前記幅方向中央域に配置されたコードが金属コードである、
ことを特徴とする請求項１〜３のいずれかに記載の空気入りタイヤ。
【請求項６】
前記幅方向端部域に配置されたコードおよび前記幅方向中央域に配置されたコードの引張歪み１．８％における、弾性率が、それぞれ、４０ＧＰａ以上１００ＧＰａ以下および８０ＧＰａ以上２１０ＧＰａ以下の範囲にあることを特徴とする請求項１〜５のいずれかに記載の空気入りタイヤ。
【発明の詳細な説明】
【技術分野】
【０００１】
本発明は、ベルトとして、コードやフィラメント等の補強素子がタイヤ赤道に沿う向きに延びる周方向ベルト層を有する空気入りタイヤ、特に、重荷重用空気入りタイヤに関するものである。
【背景技術】
【０００２】
近年、車両の高速化や低床化の要求により、装着タイヤはより扁平化され、これに伴って標準内圧付与時のトレッド部の径方向成長量は一層増大してゆく傾向にある。このトレッド部における径方向成長量の増加は、ベルト端部での応力集中を増幅して当該部分での耐久性の低下を招くため、特にベルトエンドセパレーションを早期に発生させる要因となる。
すなわち、扁平比の小さいタイヤでは、内圧付与時のトレッド部、特にショルダー部近傍の径成長量が増大することが問題になるから、タイヤの周方向に配置した補強素子による周方向ベルト層にて径成長を抑制する技術が必要となる。
【０００３】
周方向ベルト層にて径成長を抑制する技術について、特許文献１には、カーカスの周りにタイヤ赤道に対し、１０〜４０゜の傾斜角にて互いにタイヤ赤道を挟み交差する多数のコード又はフィラメントを補強要素とする、少なくとも２層の傾斜ベルトを有し、さらに傾斜ベルトの下に位置する、少なくとも１層よりなり、波形もしくはジグザグ形をなす多数のコード又はフィラメントの補強要素を全体としてタイヤ赤道に沿う配向としたストリップによる周方向ベルト層を有する構造が開示されている。
【０００４】
【特許文献１】特開平２−２０８１０１号公報
【発明の開示】
【発明が解決しようとする課題】
【０００５】
しかし、更に扁平比が小さくなった場合、具体的には、タイヤの断面幅に対する断面高さの比である扁平比が０．７０以下の場合には、周方向ベルト層の幅を更に広げないと、所期した径成長の抑制が困難となる。ところが、周方向ベルト層幅を広げることは、以下の新たな問題をまねくことになる。
【０００６】
すなわち、周方向ベルト層幅を広げると、タイヤ走行に伴い、接地領域において周方向ベルト層の幅方向端部が周方向に曲げ変形してベルト層が周方向に伸びる結果生じる、引張入力（以下、引張振幅入力）が繰り返し強く作用することになり、その結果、周方向ベルト層の幅方向端部において、コードが疲労破断し易くなる。
【０００７】
周方向ベルト層を広くした場合、最も問題となるのが、周方向ベルト層の幅方向端部における、コードの疲労破断である。これは、タイヤ走行に伴い、周方向ベルト層端部のコードに引張振幅入力が作用するためであり、引張振幅入力を抑制することが、この問題を解決するためには不可欠である。
【０００８】
また、耐摩耗性能を確保するには、傾斜ベルト層を周方向ベルト層より幅広に配置し、トレッド部の面内せん断剛性を高くする必要がある。
【０００９】
上記の問題を解決するものとして、出願人会社は先に、「周方向ベルト層の幅がタイヤの総幅の６０％以上であり、少なくとも１層の傾斜ベルト層の幅が周方向ベルト層の幅よりも広く、さらに、周方向ベルト層において、その幅方向端部側に配置されたコードの弾性率が当該コードの幅方向内側に配置されたコードの弾性率よりも低いことを特徴とする空気入りタイヤ」を開発し、特願２００６−３４９４８１号明細書において提案した。
この技術は、周方向ベルト層に埋設したコードの幅方向の弾性率を調整することによって、コードの疲労破断を抑制して、ベルトの耐久性の向上を図ろうとするものである。さらに、傾斜ベルト層の幅を周方向ベルト層の幅よりも広くしてトレッド部の面内せん断剛性を高くして耐摩耗性能を確保している。
【００１０】
上記した特願２００６−３４９４８１号明細書に提案の空気入りタイヤにおいて、弾性率が高いコードと弾性率が低いコードとの境界部分は、鋭利な突起を乗り越す際の耐久性がその他の部分に比較して弱いことが改善点として挙げられる。
【００１１】
そこで、本発明の目的は、上記した特願２００６−３４９４８１号明細書に提案の空気入りタイヤの改良することにあり、上記の問題を未然に防ぐことによって、ベルト耐久性や耐摩耗性の一層の改善に加えて、突起乗り越し性能を改善した空気入りタイヤ、中でも扁平比の小さい重荷重用ラジアルタイヤを提供することにある。
【課題を解決するための手段】
【００１２】
本発明の要旨は、以下のとおりである。
（１）一対のビード部間にトロイダル状に跨るカーカスを骨格として、該カーカスのクラウン部の径方向外側に、タイヤの赤道面に沿って延びるコードの多数本をゴムで被覆した、２層の周方向ベルト層と、タイヤの赤道面に対して傾斜した向きに延びるコードの多数本をゴムで被覆した、少なくとも２層の傾斜ベルト層とを順に配置して成るベルトを有し、該ベルトの径方向外側にトレッドを配置したタイヤであって、
前記周方向ベルト層の幅がタイヤの総幅の６０％以上であり、
少なくとも１層の傾斜ベルト層の幅が周方向ベルト層の幅よりも広く、
各周方向ベルト層を、幅方向中央域と該幅方向中央域の幅方向外側に位置する幅方向端部域とに区画した際、前記幅方向端部域に配置されたコードの弾性率が前記幅方向中央域に配置されたコードの弾性率よりも低く、
前記幅方向端部域の幅方向最内側に配置されたコードと、前記幅方向中央域の幅方向最外側に配置されたコードとの最小間隔が５ｍｍ以下であり、
タイヤ赤道を境とするタイヤ半部において、一方の周方向ベルト層における幅方向端部域の幅方向最内側に配置されたコードの端部が、他方の周方向ベルト層における幅方向中央域の幅方向最外側に配置されたコードの端部より、幅方向内側に位置する、
ことを特徴とする空気入りタイヤ。
【００１３】
（２）前記傾斜ベルト層の幅がタイヤの総幅の６５％以上であることを特徴とする上記（１）に記載の空気入りタイヤ。
【００１４】
（３）前記周方向ベルト層は、１本または複数本のコードをゴムで被覆したストリップ材を、前記カーカスのクラウン部に螺旋状に巻回して成ることを特徴とする上記（１）または（２）に記載の空気入りタイヤ。
【００１５】
（４）前記幅方向端部域に配置されたコードは、初期伸びを有する伸張性の金属コードであり、
前記幅方向中央域に配置されたコードは、非伸張の金属コードを直線状、波形状もしくはジグザグ状に型付けしたものである、
ことを特徴とする上記（１）〜（３）のいずれかに記載の空気入りタイヤ。
【００１６】
（５）前記幅方向端部域に配置されたコードが有機繊維コードであり、
前記幅方向中央域に配置されたコードが金属コードである、
ことを特徴とする上記（１）〜（３）のいずれかに記載の空気入りタイヤ。
【００１７】
（６）前記幅方向端部域に配置されたコードおよび前記幅方向中央域に配置されたコードの引張歪み１．８％における、弾性率が、それぞれ、４０ＧＰａ以上１００ＧＰａ以下および８０ＧＰａ以上２１０ＧＰａ以下の範囲にあることを特徴とする上記（１）〜（５）のいずれかに記載の空気入りタイヤ。
【発明の効果】
【００１９】
本発明によれば、周方向ベルト層幅を広げて、特に扁平比の小さいタイヤで顕著なトレッド部の径成長を抑制し、周方向ベルト層に埋設したコードの弾性率を調整することで特に周方向ベルト層端部におけるコードの疲労破断を抑制することができるため、ベルトの耐久性能を大幅に向上するとともに、周方向ベルト層に対する傾斜ベルト層の幅を規定することで摩耗性能を向上した扁平比の小さいタイヤを提供することができる。
さらに、周方向ベルト層のコード間隔を規定して突起乗り越し性能を向上した空気入りタイヤを提供することができる。
【発明を実施するための最良の形態】
【００２０】
以下に、本発明の空気入りタイヤの実施形態を、図面を参照して詳しく説明する。
図１は本発明に従うタイヤの幅方向断面である。一対のビード部（図示せず）間にトロイダル状に跨るカーカス１のクラウン部の径方向外側には、タイヤ赤道ＣＬに沿って延びるコードの多数本をゴムで被覆した、２層の周方向ベルト層２ａおよび２ｂと、タイヤ赤道ＣＬに対して傾斜した向きに延びるコードの多数本をゴムで被覆した、少なくとも２層を層間でコード相互が交差する向きに配置した、図示例で２層の傾斜ベルト層３ａおよび３ｂとを順に積層したベルト４を有し、さらに該ベルト４の径方向外側にトレッド５を配置している。
【００２１】
周方向ベルト層２ａおよび２ｂの幅ＢＷ２は、タイヤの総幅ＴＷの６０％以上に設定することが好ましく、さらに、７０％以上に設定することがより好ましい。なぜなら、径成長の大きい領域は、タイヤ総幅ＴＷの６０％〜７０％の領域までであることから、その領域には、径成長を抑制する周方向ベルト層を配置する必要があるためである。周方向ベルト層２ａおよび２ｂの幅ＢＷ２の上限は、タイヤ形状を規定の寸法内に収めることの制約から、９０％とすることが好ましい。
【００２２】
また、少なくとも１層の傾斜ベルト層、図示例では傾斜ベルト層３ａの幅ＢＷ３ａを周方向ベルト層２ａ、２ｂの幅ＢＷ２よりも広くする必要がある。なぜなら、タイヤの摩耗性能およびコーナーリング性能に必要なトレッド部の面内剪断剛性を確保するためである。
残る傾斜ベルト層３ｂの幅ＢＷ３ｂは、周方向ベルト層２ａ、２ｂより幅広く配置することが、トレッド部の面内剪断剛性を向上させ、特にタイヤの摩耗性能を向上させる上で好ましい。また、図１に示した例では、傾斜ベルト層３ａの幅ＢＷ３ａが同３ｂの幅ＢＷ３ｂよりも広いが、このように、異なる幅に設定することが好ましい。なぜなら、同一幅になると急激な剛性変化を伴うため、ベルト層端部での耐セパレーション性が悪化する懸念があるためである。
【００２３】
また、傾斜ベルト層３ａ、３ｂの幅がタイヤの総幅ＴＷの６５％以上であることが好ましい。なぜなら、タイヤ総幅ＴＷの６５％以上の範囲で傾斜ベルト層３ａのコードと同３ｂのコードとが交差することにより、摩耗性能を維持するためである。また、傾斜ベルト層３ａ、３ｂの幅の上限は、タイヤ形状を規定の寸法内に収めることの制約から、９０％とすることが好ましい。
傾斜ベルト層のコードはタイヤ赤道ＣＬに対して４０°以上、好ましくは５０°以上傾斜していると、摩耗性能と耐久性能を両立可能である。なぜなら、傾斜ベルト層のコードのタイヤ赤道ＣＬに対する傾斜角度が４０°未満では、タイヤ走行中の接地領域において、傾斜ベルトの周方向変形が大きくなり、前記周方向ベルト端部と傾斜ベルト層間のゴムのせん断変形が大きくなる。これにより、ゴムが破壊されタイヤの耐久性は著しく低下するおそれがあるからである。
【００２４】
なお、図１に示した例では、周方向ベルト層２ａと２ｂとの幅は同じであるが、異なる幅にしてもよい。特に、周方向ベルト層の幅方向中央部の強度を大きくした場合には、１層だけ幅を広く配置し、もう１層は幅を狭くしても良い。
【００２５】
また、周方向ベルト層の幅を広くすると、周方向ベルト層の幅方向外側端部において、コードの疲労破断が発生し易くなり、十分に満足するタイヤ寿命を得ることが難しい。これは、タイヤ走行に伴い、周方向ベルト層端部のコードに引張方向の振幅入力が作用するためであり、この引張振幅入力を抑制することが、この問題を解決するためには不可欠である。そこで、本発明では、周方向ベルト層の幅方向端部において、該幅方向外側に配置されたコードの弾性率を当該コードの幅方向内側に配置されたコードの弾性率よりも低くすることによって、上記した周方向ベルト層端部に集中する引張振幅入力を抑制する。
【００２６】
すなわち、走行中のタイヤでは、周方向ベルト層端部に引張振幅入力が作用する。この引張振幅入力は、タイヤのトレッド端部側の接地面において、コードが周方向に伸ばされて引張最大応力が作用し、トレッド端部の非接地域ではほぼ内圧充填時の引張応力が作用するためである。この引張応力の振幅を抑制するには、タイヤの負担を軽くする（タイヤの撓み量を小さくする）ことが考えられるが、この手法ではタイヤの乗り心地性を満足させることはできない。
【００２７】
そこで、接地面内においてコードがタイヤの周方向に伸ばされたとき、該接地面に対応する周方向ベルト層の幅方向端部における、コードの弾性率が低ければ、コードにかかる引張応力は低くなる。しかし、周方向ベルト層の全てのコードの弾性率を低くしてしまうと、内圧充填による径方向成長量が大きくなり、タイヤの形状保持が困難になる。そこで、周方向ベルト層の幅方向において、その端部付近に相当する幅方向外側のコード弾性率を、同幅方向内側のコードの弾性率よりも低くすることによって、内圧充填時の径方向成長量の増加を極力同じにすれば、接地面における、周方向ベルト層の幅方向端部の応力振幅は効果的に抑制される結果、コードの疲労破断を抑制することができる。
【００２８】
なお、周方向ベルト層の幅方向外側に配置されたコードの弾性率は、当該コードの幅方向内側に配置されたコードの弾性率に対して、０．３〜０．８倍であることが、上記引張応力の振幅抑制に有効である。
【００２９】
ここで、図１（ｂ）、（ｃ）に周方向ベルト層の平面展開図を示すように、各周方向ベルト層を、幅方向中央域２Ｃとこの幅方向中央域２Ｃの幅方向外側に位置する幅方向端部域２Ｅ１、２Ｅ２とに区画した際、幅方向端部域２Ｅ１、２Ｅ２に配置されたコード６の弾性率を幅方向中央域２Ｃに配置されたコード７の弾性率よりも低くする。
【００３０】
すなわち、図１において周方向ベルト層２ａ、２ｂとして示すコード配列は、周方向ベルト層の幅方向端部域２Ｅ１、２Ｅ２に、弾性率の低いコード６を複数本配置し、このコード６のベルト幅方向内側の幅方向中央域２Ｃに、コード６よりも弾性率の高いコード７の複数本を配置したものである。
このように、本発明に従う周方向ベルト層としては、幅方向端部域２Ｅ１、２Ｅ２にコード６を１〜数十本配置し、幅方向中央域２Ｃにコード７を配置することを基本とする。
【００３１】
また、各幅方向端部域２Ｅ１、２Ｅ２の幅ｔは、周方向ベルト層の幅ＢＷ２の５％〜２０％であることが好ましい。なぜなら、幅ｔが全幅の５％未満では、周方向ベルト層への応力振幅の大きい領域に弾性率の高いコードが存在してしまう為に未だ破断する可能性が高く、一方２０％を超えると、径成長の増大を抑制するのが難しくなるからである。
【００３２】
さらに、周方向ベルト層２ａ、２ｂにおいて、幅方向中央域２Ｃの幅方向最外側に配置されたコード７と当該コード７に隣接するコード６との最小間隔が５ｍｍ以下であることが肝要である。
コード６とコード７との最小間隔が５ｍｍを超えている場合、コード６とコード７との間の部分に突起物が当たった場合、具体的には、走行中のタイヤのこの部分で鋭利な突起物を踏み越えた場合に、突起物がカーカス１まで到達し、タイヤ内の充填気体が漏れて、タイヤのパンクにつながるおそれがある。
【００３３】
なお、コード６とコード７との最小間隔とは、図１（ｂ）、（ｃ）に示すように、コード６を直線状のコードとし、コード７を波形のコードとする場合、図２に示す、周方向ベルト層のコード６とコード７との境界部分において、コード６と、振幅をもって波状に蛇行しているコード７がコード６に最も近づく部分との距離ｄを指す。
コード６とコード７とがともに直線状のコードである場合は、最小間隔とは、各コード間の距離ｄを指す。
【００３４】
また、本発明の周方向ベルト層は、１本または複数本のコード６およびコード７をそれぞれゴムで被覆したストリップ材を、前記カーカスのクラウン部に螺旋状に巻回して成形することが、製造の時間短縮につながり、結果的にコストを抑制することができ、好適である。
しかし、このような製造方法を用いると、両者のストリップを巻きつける際、異なるストリップを幅方向に隣接して配置する際に、製造上の誤差で両者の間に隙間が生じることがある。コード６とコード７との間に大きく隙間が生じたタイヤにおいては、内圧充填後、タイヤトレッド部の径方向への成長量（径成長）は不均一となってしまう。これは、コード６とコード７との弾性率（剛性）が異なるためである。不均一な径成長分布は踏面にも影響し、偏摩耗の原因となる。
そこで、コード６とコード７との最小間隔を５ｍｍ以下となるように規制してストリップを巻きつけ、周方向ベルト層を製造すると、内圧充填時の径成長分布は略均一な範囲で抑制することができることがわかった。
また、コード６とコード７が接触すると、フレッティング疲労により、コードが損傷するおそれがあるため、コード６とコード７との間にわずかな隙間を確保することが好ましい。
【００３５】
また、例えば、コード６には、金属製の弾性コード、すなわち複撚りの４×０．２８ｍｍ＋６×０．２５ｍｍのコード、いわゆるハイエロンゲーションコードが好適であり、コード７には、波状もしくはジグザグ状の型付けを施したコード（図１における周方向ベルト層２ａ、２ｂの構造を参照）、いわゆる波形コード、又は金属製の非伸張コード、すなわち層撚り（３＋９＋１５）×０．２３ｍｍのコードが好適である。ハイエロンゲーションコードの引張歪１．８％における弾性率は、波状もしくはジグザグ状の型付けを施したコード、又は金属製の非伸張コードよりも小さいことが一般的である。
なお、接地面内における引張歪はおおよそ１．８％程度であることが実測値として知られているから、コード弾性率は、この引張歪１．８％でのコード弾性率を規定する。
ちなみに、コードの弾性率とは、空気入りタイヤを解体して採り出したゴム被覆状態のコードについて、引張り試験を行い、その結果から応力−歪み線図を作成し、該線図における歪みが１．８％における接線の勾配（傾き）を算出し、その値をコードの断面積で除した値である。
【００３６】
また、コード６に有機繊維コードを用いて、コード７に金属製コードを用いても、上述の弾性率の条件を満足できる。
【００３７】
コード６の弾性率は、引張歪み１．８％において、４０ＧＰａ以上１００ＧＰａ以下の範囲にあることが好ましい。弾性率が４０ＧＰａより低い場合、内圧充填による径成長が抑制できない可能性があり、１００ＧＰａより高い場合、タイヤ転動時にかかるコードへの入力（応力振幅）により、コードが破断し、タイヤ内圧を保持することが難しくなる可能性がある。
コード７の弾性率は、引張歪み１．８％において、８０ＧＰａ以上２１０ＧＰａ以下の範囲にあることが好ましい。弾性率が８０ＧＰａより低い場合、内圧充填による径成長が抑制できない可能性があり、２１０ＧＰａより高い場合、タイヤ転動時にかかるコードへの入力（応力振幅）により、コードが破断しやすくなり、タイヤ内圧を保持することが難しくなる可能性がある。
【００３８】
図３に、図１に示した幅方向断面図のベルト部分の拡大図を示す。
図３の例は、各４本のコード６およびコード７のゴム引き布であるストリップを巻きつけてなるベルト構造である。
ここで、周方向ベルト層２ａ、２ｂの製造方法について説明する。まず、径方向内側の周方向ベルト層２ｂを製造するために、コード７のゴム引き布であるストリップを幅方向中央域の幅方向いずれか一端から他端に向かってらせん状に巻きつける。すなわち、図において、ストリップ２ｂＳａ、２ｂＳｂ、２ｂＳｃの順に巻きつけ、所定の幅を巻きつけたら、続けてコード６のゴム引き布であるストリップ２ｂＳｄを巻きつける。周方向ベルト層２ｂの端部まで巻きつけたら、次に、径方向内側の周方向ベルト層２ａを製造するために、コード６のゴム引き布であるストリップ２ａＳｄを巻きつけ、所定の幅を巻きつけたら、続けてコード７のゴム引き布であるストリップ２ａＳｃ、２ａＳｂ、２ａＳａを幅方向内側に向かって順に巻きつけていく。
この例では、周方向ベルト層２ａにおけるコード６とコード７の境界部分と、周方向ベルト層２ｂにおけるコード６とコード７の境界部分とが、タイヤ径方向に一致しており、コード６とコード７との最小間隔ｄが５ｍｍ以下である。
【００３９】
次に、図４に、本発明に係るベルトの幅方向断面図を示す。図４の例は、各１本のコード６およびコード７のゴム引き布であるストリップを巻きつけてなるベルト構造である。
周方向ベルト層２ａ、２ｂの製造方法は上述したとおりであるが、周方向ベルト層２ｂを製造するために、コード７のゴム引き布であるストリップを所定の幅を巻きつけた後、コード６のゴム引き布であるストリップを幅方向外側に向かって４周巻きつける。続けて、周方向ベルト層２ａを製造するために、コード６のゴム引き布であるストリップを幅方向内側に向かって５周巻きつける。このように、周方向ベルト層２ａにおけるコード６とコード７の境界部分と、周方向ベルト層２ｂおけるコード６とコード７の境界部分とを、タイヤ径方向に一致させずに、コード６ａとコード７ａとの距離ｄおよびコード６ｂとコード７ｂとの距離ｄをともに５ｍｍ以内としている。コード６ａのコード端６Ｅが、コード７ｂのコード端７Ｅより幅方向内側に位置するように、各周方向ベルト層２ａ、２ｂにおける境界部分を幅方向にずらすことで、突起乗り越し性能をさらに向上させ、不均一な径成長をさらに抑制することができる。
【実施例】
【００４０】
以下に示す仕様の下、発明例タイヤ、従来例タイヤ、および比較例タイヤをサイズ４９５／４５Ｒ２２．５で試作し、各試作タイヤについて、耐久試験、摩耗試験、および小突起貫通試験を行ったので以下に説明する。
発明例タイヤ１〜４および比較例タイヤ２、３は、図３に示すベルト構造に表１に示す仕様を適用したものである。周方向ベルト層は、弾性率の低いコード（以下、「低弾性率コード」という）を含む幅方向端部域２Ｅ１、２Ｅ２と、弾性率の高いコード（以下、「高弾性率コード」という）を含む幅方向中央域２Ｃとからなる。
比較例タイヤ１および従来例タイヤは、周方向ベルト層を、高弾性率コードを含む幅方向中央域２Ｃのみから形成したベルト構造を有する。
これら試作タイヤを、サイズ１７．００×２２．５のリムに組み込み、内圧を９００ｋＰａに調整した上で、正規荷重：５８００ｋｇおよびドラム回転速度：６０．０ｋｍ／ｈの条件にてドラム走行を３００００ｋｍの距離で実施し、その後、タイヤを解剖して周方向ベルト層におけるコードの疲労強度を測定した（耐久試験）。疲労強度は新品時の従来例タイヤの強度を１００として指数で表し、数値が大きいほど疲労強度が大きい、すなわち、耐久性能が良好であることを示している。また、同時に、トレッド摩耗量を測定した（摩耗試験）。トレッド摩耗量は新品時の従来例タイヤの摩耗量を１００として指数で表し、数値が大きいほど摩耗量が少ない、すなわち、摩耗性能が良好であることを示している。
また、試作タイヤを、サイズ１７．００×２２．５のリムに組み込み、内圧を９００ｋＰａに調整した上で、直径２５ｍｍの丸型突起物をトレッド部に１箇所、３０ｋＮの力で押し当て、丸型突起物の最大押込量を測定した（小突起貫通試験）。押込量は従来例タイヤの押込量を１００として指数で表し、数値が大きいほど押込量が少ない、すなわち、小突起貫通性能が良好であることを示している。
また、いずれの試作タイヤも２層の周方向ベルト層を有し、各周方向ベルト層の幅方向端部域と幅方向中央域との境界は一致している。
【００４１】
なお、コードの弾性率は、コードをインストロン型引張試験機による引張試験に供し、そのときの引張歪１．８％でのコード弾性率である。
傾斜ベルト層には、（１＋６）×０．３２ｍｍの層撚りのコードを打ち込み数２４．５本／５０ｍｍで適用した。
周方向ベルト層の幅方向端部域２Ｅ１、２Ｅ２には４×（１×０．２８ｍｍ＋６×０．２５ｍｍ）の高伸長性コードを打ち込み数２０本／５０ｍｍで適用し、幅方向中央域２Ｃには（３＋９＋１５）×０．２３ｍｍの波状の非伸長コードを打ち込み数２２．５本／５０ｍｍで適用した。ストリップ幅は、ともに２０ｍｍとした。
【００４２】
【表１】
0005275655.tif 000002
【００４３】
表１の結果より、発明例タイヤ１〜３は、低弾性率コードの弾性率が８０ＧＰａであり、高弾性率コードの弾性率が１５０ＧＰａであるため、いずれも良好な耐久性能を示したことが分かる。発明例タイヤ４は、低弾性率コードの弾性率が１２０ＧＰａであり、耐久性能が従来例タイヤより劣り、これにより、好適な弾性率範囲を示すことができた。
また、発明例タイヤ１〜４は、傾斜ベルト層の幅が周方向ベルト層の幅より広いため、いずれも良好な摩耗性能を示したことがわかる。比較例タイヤ２も傾斜ベルト層の幅が周方向ベルト層の幅より広いが、幅の差がわずかしかないため、摩耗性能が悪化したと考えられる。
また、発明例タイヤ１〜４は、低弾性率コードと高弾性率コードとの距離を５ｍｍ以下であるため、いずれも良好な小突起貫通性能を示したことがわかる。
【００４４】
以上により、周方向ベルト層に埋設したコードの弾性率を調整してベルトの耐久性能を大幅に向上し、周方向ベルト層に対する傾斜ベルト層の幅を規定して摩耗性能を向上し、さらに、周方向ベルト層のコード間隔を規定して突起乗り越し性能を向上した空気入りタイヤを提供することができる。
【図面の簡単な説明】
【００４５】
【図１】（ａ）は本発明に従うタイヤの幅方向断面図であり、（ｂ）、（ｃ）はベルトの展開図である。
【図２】周方向ベルト層のコードの境界部分を示す図である。
【図３】本発明に従うベルトの幅方向断面図である。
【図４】本発明に従うベルトの幅方向断面図である。
【符号の説明】
【００４６】
１              カーカス
２ａ、２ｂ      周方向ベルト層
２Ｃ            幅方向中央域
２Ｅ１、２Ｅ１    幅方向端部域
３ａ、３ｂ      傾斜ベルト層
４              ベルト
５              トレッド
６、７          コード
ＣＬ            タイヤ赤道
【図１】
0005275655.tif 000003
【図２】
0005275655.tif 000004
【図３】
0005275655.tif 000005
【図４】
0005275655.tif 000006